(57)【要約】【課題】布団の出し入れが容易であるとともに、挿入された布団の位置がずれにくい上、開口部のファスナーを閉じる際にファスナーが係合部材を噛み込むという不具合が生じない寝具用カバーを提供する。【解決手段】布団カバー１は、外側シート２と内側シート３とを縫合することによって、略長方形の袋状に形成されている。そして、対向する２つの頂点からそれぞれ長手方向に沿って約１０ｃｍだけ内側に入った２点（Ｐ，Ｑ）を結ぶように、布団を挿入するための開口部４が設けられている。また、その開口部４には、合成樹脂製のファスナー５が設けられている。さらに、布団カバー１の四隅の内部には、布団Ｆを固定するための係合部材である紐６，６・・が設けられている。【選択図】図１
2005245968.tif 000002
【特許請求の範囲】
【請求項１】
掛け布団、敷き布団、枕、毛布等の寝具を覆うための寝具カバーであって、
略長方形の袋状に形成されており、対向する２つの頂点からそれぞれ長手方向に沿って所定の長さだけ内側に入った２点を結ぶように、布団を挿入するための開口部が設けられているとともに、その開口部に、開口部を閉じた状態で保持するための保持手段が設けられていることを特徴とする寝具用カバー。
【請求項２】
四隅の内部に、布団を固定するための係合部材が設けられていることを特徴とする請求項１に記載の寝具用カバー。
【請求項３】
保持部材の外側に被覆部が設けられていることを特徴とする請求項１、または請求項２に記載の寝具用カバー。
【発明の詳細な説明】
【技術分野】
【０００１】
本発明は、掛け布団、敷き布団、枕、毛布等の寝具を覆うための寝具用カバーに関するものである。
【背景技術】
【０００２】
従来の寝具用カバーとしては、一般的に、長方形の袋状に形成されており、長い稜線に沿って、布団等を出し入れするための開口部を設けたものが知られているが、そのような従来の寝具用カバーは、開口部から反対の稜線までの距離が長いため、布団を出し入れをスムーズに行うことができない。それゆえ、布団等の出し入れを容易にするために、隣接する２つの稜線に沿って開口部を設けて、その開口部にファスナーを取り付けた布団カバーが発案されている（特許文献１）。また、片面に、四隅を対角線状に結ぶように交差状の切り込みを設けて、それらの切り込みにファスナーを設けた布団カバーも知られている（特許文献２）。
【０００３】
一方、布団カバーの中には、布団の四隅に設けられた紐等と係合させるための係合部材（紐等）を四隅の内部に設けて、挿入した布団がずれないようにしたものもある。
【０００４】
【特許文献１】実用新案登録第３０５７５５１号公報
【特許文献２】特開２００４−３２９号公報
【発明の開示】
【発明が解決しようとする課題】
【０００５】
しかしながら、隣接する２つの稜線に沿って開口部を設けた布団カバーや、四隅を対角線状に結ぶように設けた交差状の切り込みを設けた布団カバーは、挿入した布団のずれを防止すべく布団の四隅の内側に係合部材を設けると、開口部や切り込みに設けられたファスナーを閉じる際に、ファスナーが係合部材を噛み込み易い、という不具合がある。
【０００６】
本発明の目的は、上記従来技術の問題点を解消し、布団等の出し入れが容易であるとともに、挿入された布団等の位置がずれにくい上、開口部のファスナーを閉じる際にファスナーが係合部材を噛み込むという不具合が生じない寝具用カバーを提供することにある。
【課題を解決するための手段】
【０００７】
本発明の内、請求項１に記載された発明の構成は、掛け布団、敷き布団、枕、毛布等の寝具を覆うための寝具カバーであって、略長方形の袋状に形成されており、対向する２つの頂点からそれぞれ長手方向に沿って所定の長さだけ内側に入った２点を結ぶように、布団を挿入するための開口部が設けられているとともに、その開口部に、開口部を閉じた状態で保持するための保持手段が設けられていることにある。
【０００８】
請求項２に記載された発明の構成は、請求項１に記載された発明において、四隅の内部に、布団を固定するための係合部材が設けられていることにある。
【０００９】
請求項３に記載された発明の構成は、請求項１、または請求項２に記載された発明において、保持部材の外側に被覆部が設けられていることにある。
【発明の効果】
【００１０】
請求項１に記載された布団カバーは、開口部から四隅までの長さが短いので、布団等の寝具の出し入れがきわめて容易である。
【００１１】
請求項２に記載された布団カバーは、挿入された布団等の位置がずれにくい上、開口部のファスナーを閉じる際にファスナーが係合部材を噛み込むという不具合が生じない。
【００１２】
請求項３に記載された布団カバーは、開口部に設けられた保持部材を覆うように被覆部が設けられているので、保持部材設置部分が身体に接触した際の肌触りも良好であり、快適に使用することができる。
【発明を実施するための最良の形態】
【００１３】
以下、本発明に係る寝具用カバーについて、図面に基づいて詳細に説明する。図１は、寝具用カバーを掛け布団のカバーとして用いた一例を示したものであり、図２は、その布団カバーの使用状態を示したものである。
【００１４】
布団カバー１は、綿およびポリエステル製の織布からなる外側シート２と内側シート３とを縫合することによって、略長方形（約２．０ｍ×約１．５ｍ）の袋状に形成されている。そして、対向する２つの頂点からそれぞれ長手方向に沿って約５．０ｃｍだけ内側に入った２点（すなわち、図１におけるＰ，Ｑ）を結ぶように、布団を挿入するための開口部４が設けられている。また、その開口部４には、合成樹脂製のファスナー５が設けられている。さらに、布団カバー１の四隅の内部には、布団Ｆを固定するための係合部材である紐６，６・・が設けられている。
【００１５】
また、図２は、ファスナー５の設置部分の端面（図１におけるＡ−Ａ線端面）を拡大して示したものであり、内側シート３の開口部４の設置際は、断面Ｕ字状になるように内側に折り返されてファスナー５の布部分７と縫合されており、ファスナー５の合成樹脂製の係合体８を内側シート３が被覆した状態になっている。
【００１６】
かかる布団カバーは、図３の如く、開口部４に設けられたファスナー５を開放して、内部に布団Ｆを挿入し、布団Ｆの四隅に設けられた紐１２，１２・・を、四隅の内部に設けられた紐６，６・・とを結び付け、布団Ｆ全体を包み込んだ状態で開口部４に設けられたファスナー５を閉じることによって、布団Ｆに装着する。そして、開口部４が設けられた内側シート３を身体側にした状態で使用する。
【００１７】
布団カバー１は、上記の如く、対向する２つの頂点からそれぞれ長手方向に沿って約１０ｃｍだけ内側に入った２点（図１におけるＰ，Ｑ）を結ぶように、開口部４が設けられており、かつ、その開口部４にファスナー５が設けられているため、開口部４から四隅までの距離が短いので、布団Ｆの出し入れが非常に容易である。
【００１８】
また、布団カバー１は、四隅の内部に、布団に設けられた紐１２，１２・・と係合して布団を固定するための係合部材である紐６，６・・が設けられているので、挿入された布団Ｆの位置がずれにくい。さらに、本発明の布団カバー１によれば、開口部４のファスナー５を閉じる際にファスナー５が紐６，６・・を噛み込むという不具合が生じない。
【００１９】
加えて、布団カバー１は、開口部４に設けられたファスナー５の外側が内側シート３で覆われているので、ファスナー５の設置部分が身体に接触した際の肌触りも良好であり、快適に使用することができる。
【００２０】
なお、本発明の布団カバーの構成は、上記実施形態の態様に何ら限定されるものではなく、本発明の趣旨を逸脱しない範囲で適宜変更することができる。たとえば、本発明の寝具用カバーは、上記実施形態の如く、掛け布団用のカバーとしてのみならず、敷き布団用のカバー、毛布用のカバーや枕カバーとしても利用することが可能である。
【００２１】
また、四隅の内側に設ける係合部材は、単純な長尺の紐に限定されず、ループ状の紐や合成樹脂製のリングに変更することも可能である。加えて、布団に設置された雄型あるいは雌型の面テープと係合する雌型あるいは雄型の面テープや、布団に設置された雄型あるいは雌型のスナップと係合する雌型あるいは雄型のスナップ等に変更することも可能である。反対に、寝具用カバーは、必ずしも四隅の内側に係合部材を設ける必要はなく、係合部材がないものでも良い。
【００２２】
加えて、開口部の端縁からカバーのコーナーまでの長さ（すなわち、図１におけるａ）は、３ｃｍ以上１５ｃｍ以下の範囲で適宜変更することができる。開口部の端縁からカバーのコーナーまでの長さが３ｃｍ以下となると、内部に係合部材を設けたときに係合部材を噛み込み易くなるので好ましくなく、反対に、開口部の端縁からカバーのコーナーまでの長さが１０ｃｍ以上となると、布団等の寝具の出し入れがしにくくなるので好ましくない。
【産業上の利用可能性】
【００２３】
本発明の寝具用カバーは、上記の如く、優れた効果を奏するものであるから、掛け布団、敷き布団、枕、毛布等の寝具を覆うためのカバーとして好適に用いることができる。
【図面の簡単な説明】
【００２４】
【図１】布団カバー（下側から見た状態）を示す説明図である。
【図２】図１におけるＡ−Ａ線端面を拡大して示す説明図である。
【図３】布団カバーの使用状態を示す説明図である。
【符号の説明】
【００２５】
１・・寝具用カバー、４・・開口部、５・・ファスナー、６・・紐（係合部材）。
【図１】
2005245968.tif 000003
【図２】
2005245968.tif 000004
【図３】
2005245968.tif 000005